(57)【特許請求の範囲】
【請求項１】
１次巻線及び２次巻線を有する変成器（２）を含む、整流器回路であって、
前記変成器（２）の前記２次巻線の第１端に接続された第１端子と基準電圧に接続された第２端子を有する第１の整流素子（５）、及び前記変成器（２）の前記２次巻線の第２端に接続された第１端子と前記基準電圧に接続された第２端子を有する第２の整流素子（６）であって、前記変成器（２）の前記１次巻線に供給された電圧を整流する、第１及び第２の整流素子と、
前記変成器（２）の前記２次巻線の前記第１端に接続された第１端子、及び第２端子を有する第１の電圧クランプ素子（１０）と、
前記変成器（２）の前記２次巻線の前記第２端に接続された第１端子、及び第２端子を有する第２の電圧クランプ素子（１１）＿と、
前記第１及び第２の電圧クランプ素子の前記第２端子に結合された第１端子と前記基準電圧に接続された第２端子を有する容量性素子（１２）であって、前記第１及び第２の電圧クランプ素子と協働して前記変成器（２）の前記２次巻線の前記第１端及び第２端に現れるエネルギーを集め、前記２次巻線の前記第１端及び第２端のそれぞれにおいて現れる電圧がその容量性素子（１２）の両端に現れる電圧にほぼ等しい最大電圧にクランプされるようにする、第１の容量性素子（１２）と、
前記２次巻線に接続された第１端及び前記整流器回路の出力端子を構成する第２端を有する誘導性素子（７）と、
前記誘導性素子（７）の前記第２端に接続された第１端子及び前記基準電圧に接続された第２端子を有する第２の容量性素子（８）と
をさらに含むことを特徴とする整流器回路。
【請求項２】
前記第１の容量性素子（１２）は、その前記第１端子及び第２端子の間に実質的にＤＣの電圧が現れるようにする大きさであるキャパシタを有する、請求項１記載の整流器回路。
【請求項３】
前記第１の電圧クランプ素子（１０）がダイオードを有する、請求項１記載の整流器回路。
【請求項４】
前記第１の電圧クランプ素子（１０）は、前記変成器（２）の前記２次巻線の前記第１端に接続されたアノード端子と前記第１の容量性素子（１２）に接続されたカソード端子を有するショットキー・ダイオードを有する、請求項１記載の整流器回路。
【請求項５】
前記第２の電圧クランプ素子（１１）がダイオードを有する、請求項１記載の整流器回路。
【請求項６】
前記第２の電圧クランプ素子（１１）は、前記変成器（２）の前記２次巻線の前記第２端に接続されたアノード端子と前記第１の容量性素子（１２）に接続されたカソード端子を有するショットキー・ダイオードを有する、請求項１記載の整流器回路。
【請求項７】
前記整流器回路が同期整流器を有する、請求項１記載の整流器回路。
【請求項８】
請求項７記載の整流器回路において、
前記第１の整流素子は、前記変成器（２）の前記２次巻線の前記第１端に接続された第１ドレイン／ソース端子と前記基準電圧に接続された第２ドレイン／ソース端子を有するトランジスタを有し、
前記第２の整流素子（６）は、前記変成器（２）の前記２次巻線の前記第２端に接続された第１ドレイン／ソース端子と前記基準電圧に接続された第２ドレイン／ソース端子を有するトランジスタを有する、整流器回路。
【請求項９】
請求項８記載の整流器回路において、
前記第１の整流素子の前記トランジスタの制御端子及び前記第２の整流素子（６）の前記トランジスタの制御端子を駆動して、前記第１の容量性素子（１２）の両端に現れる電圧に基づいて前記第１及び第２の整流素子を導電状態と非導電状態との間で切り換えるようにする、制御回路
をさらに含む整流器回路。
【請求項１０】
前記制御回路は、入力として前記第１の容量性素子（１２）の両端に現れる信号を有し、前記第１の整流素子の前記制御端子を駆動する信号及び前記第２の整流素子（６）の前記制御端子を駆動する信号の振幅を、前記第１の容量性素子（１２）の両端に現れる電圧に基づくものにする、請求項９記載の整流器回路。
【請求項１１】
前記第１及び第２の整流素子がそれぞれダイオードを有する、請求項１記載の整流器回路。
【請求項１２】
第１及び第２の整流切換素子を有する整流器回路において変成器（２）の２次巻線の両端に現れる不要な電圧スパイクを低減する方法であって、
前記変成器（２）の前記２次巻線の第１端に現れる電圧スパイクに随伴するエネルギーを吸収すると共に、その吸収したエネルギーを前記整流器回路内の第１のキャパシタに蓄積する過程と、
前記変成器（２）の前記２次巻線の第２端に現れる電圧スパイクに随伴するエネルギーを吸収すると共に、その吸収したエネルギーを前記第１のキャパシタに蓄積する過程と、
前記第１及び第２の整流切換素子の活性化を制御するために前記第１のキャパシタに吸収されたエネルギーを再循環する過程と
を有する方法。
【請求項１３】
請求項１２記載の方法において、前記再循環する過程は、  前記第１のキャパシタに蓄積されたエネルギーに基づき、前記第１の整流切換素子を導電状態と非導電状態との間で切り換えるための第１の制御信号を発生する過程と、
前記第１のキャパシタに蓄積されたエネルギーに基づき、前記第２の整流切換素子を導電状態と非導電状態との間で切り換えるための第２の制御信号を発生する過程と
を有する、方法。
【請求項１４】
１次巻線及び２次巻線を有する変成器（２）を含む、電力変換器に適用するための整流器回路であって、
前記２次巻線の第１端に接続された第１端子と基準電圧に接続された第２端子を有する第１の整流デバイス（５）、及び前記２次巻線の第２端に接続された第１端子と前記基準電圧に接続された第２端子を有する第２の整流デバイス（６）であって、前記変成器（２）の前記１次巻線の両端に現れる電圧信号を整流する、第１及び第２の整流デバイスと、
前記２次巻線に接続された第１端子、及び第２端子を有する第１の電圧クランプ素子（１０）と、
前記２次巻線に接続された第１端子、及び第２端子を有する第２の電圧クランプ素子（１１）と、
前記第１及び第２の電圧クランプ素子の前記第２端子に結合された第１プレートと前記基準電圧に接続された第２プレートを有するキャパシタ（１２）であって、そのキャパシタ（１２）並びに前記第１及び第２の電圧クランプ素子が、前記第１の電圧クランプ素子（１０）の前記第１端子及び前記第２の電圧クランプ素子の前記第１端子に現れる電圧を、そのキャパシタ（１２）の両端に現れる電圧にほぼ等しい最大電圧にクランプする、第１のキャパシタ（１２）と、
前記２次巻線に接続された第１端子、及び第２端子を有するインダクタ（７）と、
前記インダクタの前記第２端子に接続された第１プレート及び前記基準電圧に接続された第２プレートを有するキャパシタ（８）であって、そのキャパシタの両端の電圧が、実質的に前記整流器回路の出力であり、かつ、実質的にＤＣの電圧である、第２のキャパシタ（８）と
を含むことを特徴とする整流器回路。
【請求項１５】
前記整流器が同期整流器である、請求項１４記載の整流器回路。
【請求項１６】
前記第１の電圧クランプ素子（１０）がショットキー・ダイオードを有する、請求項１４記載の整流器回路。
【請求項１７】
前記ショットキー・ダイオードのアノード端子が前記変成器（２）の前記２次巻線の第１端に接続されている、請求項１６記載の整流器回路。
【請求項１８】
前記ショットキー・ダイオードのアノード端子が、前記変成器（２）の前記２次巻線に、その中間箇所伝いに接続されている、請求項１６記載の整流器回路。
【請求項１９】
前記第２の電圧クランプ素子（１１）がショットキー・ダイオードを有する、請求項１４記載の整流器回路。
【請求項２０】
前記ショットキー・ダイオードのアノード端子が前記変成器（２）の前記２次巻線の第２端に接続されている、請求項１９記載の整流器回路。
【請求項２１】
前記ショットキー・ダイオードのアノード端子が、前記変成器（２）の前記２次巻線に、その中間箇所伝いに接続されている、請求項１９記載の整流器回路。
【請求項２２】
請求項１４記載の整流器回路において、
前記第１及び第２の整流素子のそれぞれは、導電状態と非導電状態との間を切り換えるための制御端子を有するスイッチを有し、
前記整流器回路は、前記第１のキャパシタ（１２）の両端に現れる電圧レベルに基づいて前記第１及び第２の整流素子の前記制御端子を制御するための信号を発生するための制御回路をさらに有する、整流器回路。
【請求項２３】
前記第１のキャパシタ（１２）は、前記第１のキャパシタ（１２）の両端に現れる電圧が実質的にＤＣの電圧であるようにする大きさである、請求項１４記載の整流器回路。
【請求項２４】
前記インダクタの前記第１端子が前記２次巻線の前記第１端に接続されている、請求項１４記載の整流器回路。
【請求項２５】
前記インダクタの前記第１端子が、前記巻線の部分であってその前記第１端ないし前記第２端以外の部分に接続されている、請求項１４記載の整流器回路。
【請求項２６】
前記第１及び第２の整流デバイスがショットキー・ダイオードを有する、請求項１４記載の整流器回路。
【請求項２７】
請求項１４記載の整流器回路において、
前記第１の整流デバイス（５）の前記第１端子は、前記２次巻線の部分であってその前記第１端及び前記第２端以外の第１の部分に接続されており、
前記第２の整流デバイス（６）の前記第１端子は、前記２次巻線の部分であってその前記第１端及び前記第２端以外の第２の部分に接続されている、整流器回路。
【請求項２８】
前記キャパシタの前記第１プレートと前記第１及び第２の電圧クランプ素子の前記第２端子との間に接続された抵抗をさらに有する、請求項１４記載の整流器回路。
【発明の詳細な説明】
【０００１】
（発明の背景）
・発明の技術分野
本発明は、電力変換器（power converter）に関する。また特に、本発明は、電圧制限回路を有する同期整流器（synchronous rectifier）に関する。
【０００２】
・発明の背景及び目的
電力変換器は、ＤＣ成分を有する入力電圧波形をＤＣ電圧波形に変換するものとして知られている。分離形変成器を用いる電力変換器では、波形変換を実行するのに整流回路を利用することが必要である。従来より、整流器回路は、順方向にバイアスされた時にだけ電流を導通する分離形変成器の２次側に接続されたダイオードを利用している。同期整流器は、分離形変成器から整流器出力への電流の導通を制御するために、整流する信号と同期して選択的にオン状態及びオフ状態とされるトランジスタ・スイッチを代わりに利用している。
【０００３】
集積回路とそれによるシステムにおける計算速度と密度の進歩は、その動作電圧を低減する結果を導いた。このため、電源（給電）については、占有領域をより小さくしつつ、より低い電圧で増大した回路への供給をすることが求められる。整流器内のダイオードないしトランジスタ・スイッチによる電力損失は、電源における全体の電力損失のうちの４０〜５０％近くを占めることもあるので、低い順方向バイアスを持つダイオード及び／又は低いオン抵抗（on-resistances）を持つトランジスタ・スイッチを利用することが最も望ましい。
【０００４】
高速な切換転換（switching transitions）の間には、整流器内で大電圧のスパイクや高い周波数のリンギングが発生するのが通例であり、これらの主な発生要因となっているのが変成器における寄生インダクタンス（parasitic inductances）とトランジスタ・スイッチにおける寄生キャパシタンス（parasitic capacitances）の存在である。その結果、ダイオード及び／又はトランジスタ・スイッチのブレイクダウンを避けるために、より高い定格のデバイスが必要とされる。より高い定格のデバイスを使用すると電力損失が増大するので、かかる過剰な電圧のスパイクや高周波リンギングを適切に取り扱うものの使用は、ダイオード及びトランジスタ・スイッチを利用して低い電力損失を適切に維持することの要求とは相容れない。
【０００５】
この状況に応えて、追加の回路を用いて高電圧スパイク及び高周波リンギングを抑圧する試みが以前からなされてきた。例えば、ＲＣスナバ回路は、ある程度ピーク電圧及び減衰振動（dampening oscillations）を低減するものとして利用されてきた。しかし、スナバ回路（図１）は、目立った量の電力を浪費し、かつ、それにも拘わらず整流器内のピーク電圧が依然としてそのまま残る。
従来のスナバ回路は、Garcia,“Save Energy In Snubber Network”, Electronic Design, May 1, 1995, p. 118に示されている。その論文は、単一の磁気的構造によって複数の出力電圧を供給するフライバック・レギュレータを示している。
他の従来のスナバ回路は、ＥＰＯ出願のEP-A-0 614 267 to Digital Equipment Corporationに示されている。その出願は、それぞれの整流器に渡るスイッチ−ダイオード−キャパシタの組合せを含むスナバ回路を示している。制御されるスイッチは、１次電圧が入力電圧に近い大きさに達した後に特定の遅延を以てオン状態とされ、整流器のダイオードに電流の向きを換えさせることができるようにする。
【０００６】
アクティブ・クランプ回路（図２）は、電圧のスパイクを抑圧するために以前提案されたものである。しかしながら、そのアクティブ・クランプ回路は、整流器の複雑さと全体の構成要素数を相当増やすものとなっている。このようなことから、電圧スパイク及び高周波リンギングを低減する機能を備えた整流器を求める要求がある。
【０００７】
本発明の目的は、電圧スパイク及び高周波リンギングを十分に排除する、電源において用いるための整流器回路を提供することである。
【０００８】
本発明の他の目的は、電力損失を低減する機能を備えた整流器回路を提供することである。
【０００９】
本発明の他の目的は、整流器における全体の構成要素数及び電力消費の増大を最小限にする整流器回路を提供することである。
【００１０】
本発明のさらに他の目的は、構成が簡単でかつ低コストで製造できる、電源用の整流器回路を提供することである。
【００１１】
（発明の要約）
本発明は、既存の電源における欠点を克服すると共に、改善された性能水準を有する電源を求める多大な要求を満たす。
【００１２】
本発明の第１の実施形態によれば、整流器回路として、その中の寄生要素によって引き起こされる電圧スパイク及び高周波リンギングを低減する整流器回路が提供される。その整流器回路は、変成器の２次側に接続された少なくとも２つのトランジスタ・スイッチを有する同期整流器である。それらのトランジスタ・スイッチは、制御回路を通じて分離形変成器の１次側及び２次側から発生される制御信号により、導電状態と非導電状態との間を選択的に切り換えられる（スイッチングされる）。本発明は、変成器の２次側の第１端に接続された第１端子を有する第１の電圧クランプ構成要素と、変成器の２次側の第２端に接続された第１端子を有する第２の電圧クランプ構成要素とを有する。本発明は、前記第１及び第２の電圧クランプ構成要素の第２端子に接続された第３の構成要素をさらに有する。前記第３の構成要素は、前記制御回路を付加的に駆動する。
【００１３】
前記トランジスタ・スイッチのうちの任意のいずれかが非導電状態に切り換えられると、その時に比較的大きい電圧スパイク、高周波リンギングがそれぞれ変成器、トランジスタ・スイッチにおける寄生インダクタンス、寄生キャパシタンスによって誘導される。それらの電圧スパイク及び高周波リンギングに対応して生じるエネルギーは、前記第１及び第２の電圧クランプ構成要素によって吸収され、そして前記第３の構成要素に集められる。その吸収されたエネルギーは、前記トランジスタ・スイッチを制御するために前記制御回路へ再循環される。
【００１４】
本発明の第１の好ましい実施形態においては、前記整流器回路が全波同期整流器となっている。本整流器回路は、さらに、半波同期整流器、全波ダイオード整流器及び半波ダイオード整流器として実現することとしてもよい。
【００１５】
（図面の簡単な説明）
本発明のシステム及び方法については、添付図面を共に関連させて見ながら以下の詳細な説明を参照することによって、より完全な理解を得ることができる。添付図面にあるものは次の通りである。
【００１６】
図１は、従来のＲＣスナバ回路の概略図である。
図２は、同期整流器用の公知のアクティブ・クランプ回路の概略図である。
図３は、本発明の好ましい実施形態による全波整流器回路の概略図である。
図４の（Ａ）、（Ｂ）は、それぞれ、図１、図３の整流器に対して内部にある電圧の波形を例示したものである。
図５Ａ〜図５Ｈは、図３に示した本発明の動作を例示した一連の電圧波形である。
図６は、本発明の第２の好ましい実施形態による全波整流器回路の概略図である。
図７は、本発明の第３の好ましい実施形態による半波整流器回路の概略図である。
図８は、本発明の第４の好ましい実施形態による全波ダイオード整流器の概略図である。
図９は、本発明の第５の好ましい実施形態による半波ダイオード整流器の概略図である。
図１０は、本発明の第６の好ましい実施形態による全波整流器の概略図である。
【００１７】
（詳細な説明）
次に、本発明の好ましい実施形態を示した添付図面を参照しつつ、以下においてより十分に本発明を説明する。ただし、この発明は、多くの異なる形態で具現化することができるものであり、ここで説明する実施形態に限定されるものと解釈してはならない。これらの実施形態は、限定ではなく、この開示を徹底された完全なものとし、かつ、この開示が当業者に対して本発明の範囲を十分伝えるようにするために提供するものである。
【００１８】
図３を参照すると、本発明の好ましい実施形態による整流器回路１が電源の部分として示されている。図３の整流器回路１は、変成器２とトランジスタ・スイッチ５とを有する全波同期整流器回路であり、変成器２は１次側ないし１次巻線３と２次側ないし２次巻線４とを有し、トランジスタ・スイッチ５は２次巻線４の第１端に接続された第１端子と接地基準（ground reference）に接続された第２端子とを有している。整流器回路１は、さらに、２次巻線４の第２端に接続された第１端子と接地基準に接続された第２端子とを有する第２のトランジスタ・スイッチ６を有している。図３においては、トランジスタ・スイッチ５及び６を電界効果トランジスタ（具体的にはｎ−チャネル電界効果トランジスタ）として実現してあるが、スイッチ５及び６を他のトランジスタ及び／又はスイッチング素子として実現することとしてもよい点を理解されたい。
【００１９】
整流器回路１は、さらに、２次巻線４に接続された第１端子とキャパシタ８の第１プレート（極板）に接続された第２端子とを有するインダクタ７を有している。キャパシタ８の第２プレートは、接地基準につながれている。この電源の出力は、図３中に示した実質的にＤＣの電圧信号Ｖoutである。
【００２０】
整流器回路１は、さらに、トランジスタ・スイッチ５及び６の各制御（ゲート）端子を駆動する各出力を有する、制御回路９を有している。制御回路９は、他の入力の中に、変成器２の両端に現れる（変成器２を横切って現れる）電圧に基づいた制御信号Ｖcontrolを有している。その結果、トランジスタ・スイッチ５及び６は、変成器２の両端に現れる電圧に同期して、導電状態と非導電状態との間を選択的に切り換えられる、すなわち、選択的にオン状態とされたりオフ状態とされたりする。
【００２１】
整流器回路１においては、整流器回路１の性能に悪影響を与える寄生デバイスが存在し得る。特に、変成器２は、その２次側４の両端に形成される漏れインダクタンスＬを有することがある。さらに、トランジスタ・スイッチ５及び６は、それぞれがそのドレイン端子とソース端子との間に現れる寄生キャパシタンスＣを有することがある。寄生漏れインダクタンスＬと寄生キャパシタンスＣが存在するために、トランジスタ・スイッチ５及び６が別々にオフ状態とされる時に、他と比べて相当大きな電圧スパイクと高周波リンギングがトランジスタ・スイッチ５及び６において現れることが観測されていた。この寄生効果を排除するため、本発明は、好ましくは、クランプダイオード（clamping diodes）１０及び１１を有し、それらのクランプダイオード１０、１１が、変成器２の２次側４の第１端、第２端にそれぞれつながれたそれらの各アノード端子を有し、かつ、キャパシタ１２の第１プレートにつながれたそれらのカソード端子を有するものとなっている。
【００２２】
クランプダイオード１０及び１１は、好ましくはショットキー・ダイオードとして小さい順方向バイアスを供給するようにする。キャパシタ１２は、好ましくは比較的大きいサイズのものにして、変成器２の２次側４の両端に現れる電圧スパイク及び高周波振動から生じるエネルギーがキャパシタ１２によって吸収されるようにする。キャパシタ１２の両端に現れる電圧は、実質的にほぼ次式で表現される電圧振幅Ｖcを有するＤＣ電圧となる。
Ｖｃ＝（Ｎ２／Ｎ１） ｘ Ｖｉｎ
ここで、Ｎ１は変成器２の１次巻線３における巻数であり、Ｎ２は変成器２の２次巻線４における巻数であり、Ｖinは変成器２の１次側３に現れる入力電圧である。
【００２３】
図４の（Ａ）及び（Ｂ）は、過剰な電圧スパイク及びリンギングの効果を排除するように電圧をクランプする本整流器回路１の能力を例示したものである。図４の（Ａ）は、電源においてＲＣスナバ回路を採用している場合にトランジスタ・スイッチ５若しくは６の両端に現れる電圧を示しており、図４の（Ｂ）は、電源において本整流器回路１を採用することによりトランジスタ・スイッチ５若しくは６の両端に現れる電圧を示している。
【００２４】
キャパシタ１２並びにクランプダイオード１０及び１１が変成器２の２次巻線４のいずれの端にも現れる過剰な電圧をクランプする動作をするのに加えて、キャパシタ１２並びにクランプダイオード１０及び１１は、トランジスタ・スイッチ５及び６の動作を制御することにキャパシタ１２によって吸収されたエネルギーを再循環（recycle）することも行う。キャパシタ１２の両端に現れる電圧は、制御回路９に印加される。制御回路９は、デジタルの制御信号Ｖcontrolを受けると共に、トランジスタ・スイッチ５及び６の各ゲート端子を駆動するための出力信号を発生する。制御回路９のそれらの出力信号の振幅は、好ましくは、キャパシタ１２の両端に現れる電圧に基づくものにする。このようにして、ダイオード１０及び１１を通じてキャパシタ１２により吸収されたエネルギーが整流器回路１を通じて逆に循環され、不安定になることが防止される。
【００２５】
図５Ａ〜図５Ｈは、本発明に基づく整流器回路１の動作を例示したものである。図５Ａは、変成器２の１次側３に印加される入力信号Ｖinを示している。２次側については、適切な整流により、２次巻線４の最上端に現れる電圧が図５Ｂに示したものとなり、また、２次巻線４の最下端に現れる電圧が図５Ｃに示したものとなる。図５Ｂ及び図５Ｃにおいて破線で例示したものは、従来の構成において見られた電圧スパイク及び高周波リンギング効果であり、それらは本発明においては実質的に排除されている。電圧スパイク及び高周波リンギングによるエネルギーは、キャパシタ１２において実質的にＤＣ電圧としてダイオード１０及び１１を通じて吸収されて集められる（図５Ｄ）。キャパシタ１２の両端の電圧（したがって電圧スパイク及び高周波リンギングから吸収されたエネルギー）は、制御回路９を通じて再循環され、トランジスタ・スイッチ５及び６のゲート端子を駆動する。それらのゲート駆動信号の振幅は、図５Ｅ及び図５Ｆに示してあり、キャパシタ１２の両端の電圧に基づくものとなっている。これらの図から分かるように、トランジスタ・スイッチ５は、主に入力電圧Ｖin（図５Ａ）の正相の間にオン状態とされ、トランジスタ・スイッチ６は、主にその逆相の間にオン状態とされる。インダクタ７の電圧、電流の波形は、それぞれ図５Ｇ、図５Ｈに示してある。図５Ｈにおける電流レベルの振幅が出力キャパシタ８の両端の電圧に応じて小さくなる点に注意すると、整流器回路１の出力は実質的にＤＣ電圧の波形になっている。
【００２６】
本発明が多くのやり方で実現できることを理解されたい。まず、本整流器回路１は、ダイオード１０及び１１のカソードとキャパシタ１２の上側プレートとの間に配置された抵抗１３を有するものとしてもよい（図６）。抵抗１３が存在することにより、変成器２の初期作動時の間にキャパシタ１２を充電するサージ電流が低減される。
【００２７】
さらに、本整流器回路１は、半波同期整流器回路１Ａとして実現することとしてもよい。図７に示すように、クランプダイオード１０Ａ、１１Ａは、それぞれキャパシタ１２Ａと変成器２Ａの第２巻線の上端、下端との間に接続されている。ダイオード１０Ａ、ダイオード１１Ａ及びキャパシタ１２Ａは、図３の実施形態と同様の方法によって変成器２Ａの２次巻線上に現れる信号をクランプする。キャパシタ１２Ａによって吸収されたエネルギーは、上に説明したのと同様にトランジスタ・スイッチ５Ａ及び６Ａを駆動するために再循環される。これにより、整流器回路１Ａは、電圧スパイク及び高周波リンギングの悪影響を受けることなく、適切な変換を実現する。
【００２８】
本発明は、全波ダイオード整流器として実現することとしてもよい。図８に示すように、整流器１Ｂは、ショットキー・ダイオード１４及び１５を有し、それらのショットキー・ダイオード１４、１５がそれぞれ変成器２Ｃの最上端、最下端に接続されたそれぞれのアノード端子を有するものとなっている。クランプダイオード１０Ｃ及び１１Ｃは、変成器２Ｃの２次巻線に接続され、かつ、キャパシタ１２Ｃに接続されており、キャパシタ１２Ｃで収集するための寄生要素から発生するエネルギーを吸収するようになっている。整流器回路１Ｂではショットキー・ダイオード１４及び１５を利用しているので、ダイオード１０Ｃ及び１１Ｃ並びにキャパシタ１２Ｃによって吸収されるエネルギーが図３、図６及び図７の同期整流器のケースにおけるようには再循環されない点に注意されたい。キャパシタ１２Ｃによって集められたエネルギーは、キャパシタ１２Ｃの両端の電圧がそれの上述したように指定される変成器の入力電圧Ｖinとの関係を維持することを確保するために、制御回路９Ｃによって放散される。
【００２９】
その上さらに、本発明は、ショットキー・ダイオード１６及び１７を利用した半波ダイオード整流器１Ｄとして実現することとしてもよい。図９に示すように、整流器１Ｄは、ショットキー・ダイオード１０Ｄ及び１１Ｄ並びにキャパシタ１２Ｄを有しており、ショットキー・ダイオード１０Ｄ、１１Ｄがそれぞれ変成器２Ｄの２次巻線の最上端、最下端に接続されたアノード端子を有し、キャパシタ１２Ｄがダイオード１０Ｄ及び１１Ｄのカソード端子に接続されたものとなっている。ダイオード１０Ｄ、ダイオード１１Ｄ及びキャパシタ１２Ｄは、整流器１Ｄ内の寄生インダクタンス及び寄生キャパシタンスによって発生されたエネルギーを吸収して、その中の電圧スパイク及び高周波リンギングを実質的に排除するようになっている。
【００３０】
また、本発明は、内部での過剰な電圧スパイク及びリンギングを部分的にのみクランプする全波整流器１Ｅにおいて実現することとしてもよい。図１０に示すように、同期整流器１Ｅは、変成器２Ｅの２次巻線の最上端及び最下端に接続されたトランジスタ・スイッチ５Ｅ及び６Ｅと、トランジスタ・スイッチ５Ｅ及び６Ｅの導電状態と非導電状態との間を切り換える制御回路９Ｅと、変成器２Ｅの２次巻線の中央部分に接続されたアノード端子とキャパシタ１２Ｅに接続されたカソード端子を有するショットキー・ダイオード１０Ｅ及び１１Ｅとを、有している。キャパシタ１２Ｅの両端の電圧は制御回路９Ｅへの入力になっており、それによってダイオード１０Ｅ及び１１Ｅを介して吸収されたエネルギーを再循環するようになっている。ダイオード１０Ｅ及び１１Ｅが変成器２Ｅの２次巻線の中間部分から分岐されている（タップ付けされている）ので、電圧スパイク及び高周波リンギングは、図３の整流器回路１におけるのと同様にはクランプされない。しかし、整流器１Ｅのキャパシタ１２Ｅの両端のバイアス電圧は、都合良く下げられる。
【００３１】
以上のように本発明についての説明をしたが、同様のものを多数の形態に変更してもよいことは容易に理解できるであろう。かかる変更は、本発明から逸脱したものとみなされるべきではなく、かつ、当業者にとって明らかであるようなそのすべての変形は、特許請求の範囲の領域内に含まれるものと解釈される。
【図面の簡単な説明】
【図１】  従来のＲＣスナバ回路の概略図である。
【図２】  同期整流器用の公知のアクティブ・クランプ回路の概略図である。
【図３】  本発明の好ましい実施形態による全波整流器回路の概略図である。
【図４】  （Ａ）、（Ｂ）が、それぞれ、図１、図３の整流器に対して内部にある電圧の波形を例示したものである。
【図５】  図５Ａ〜図５Ｈが、図３に示した本発明の動作を例示した一連の電圧波形である。
【図６】  本発明の第２の好ましい実施形態による全波整流器回路の概略図である。
【図７】  本発明の第３の好ましい実施形態による半波整流器回路の概略図である。
【図８】  本発明の第４の好ましい実施形態による全波ダイオード整流器の概略図である。
【図９】  本発明の第５の好ましい実施形態による半波ダイオード整流器の概略図である。
【図１０】  本発明の第６の好ましい実施形態による全波整流器の概略図である。
【図１】
0004384820.tif 000002
【図２】
0004384820.tif 000003
【図３】
0004384820.tif 000004
【図４】
0004384820.tif 000005
【図５】
0004384820.tif 000006
【図６】
0004384820.tif 000007
【図７】
0004384820.tif 000008
【図８】
0004384820.tif 000009
【図９】
0004384820.tif 000010
【図１０】
0004384820.tif 000011